(57)【要約】【課題】装置の小型化を図り、回路設計の自由度を広げることが可能なカードコネクタを提供する。【解決手段】カードコネクタ１は合成樹脂製のベース２と、ベース２とともにインサート成形されかつベース２に所定の配列で固定された複数の接片部材４とを備えている。複数の接片部材４各々はカード側の面電極に対応する電極接点部６ａと、基板側の面電極に対応する電極接点部６ｂと、基板に半田付けされる接続用端子部５とを一体に備えている。電極接点部６ａ及び電極接点部６ｂはＳ字形に成形されている。カードコネクタ１において、複数の接片部材４各々はカードの面電極で電極接点部６ａが押された時に弾性変形し、電極接点部６ｂが基板の面電極に接触する。【選択図】      図１
2004192928.tif 000002
【特許請求の範囲】
【請求項１】
ベースに所定の配列で固定された複数の接片部材が前記ベースとともにインサート成形されたカードコネクタであって、前記複数の接片部材各々に一体に形成されかつ前記ベースの上面側及び下面側にそれぞれ電気的な接点を持つ第１及び第２の電極を有することを特徴とするカードコネクタ。
【請求項２】
前記第１及び第２の電極は、各々カード側の面電極及び基板側面電極に対応して配設されたことを特徴とする請求項１記載のカードコネクタ。
【請求項３】
前記複数の接片部材各々は、前記カード側の面電極で前記第１の電極の接点が押された時に弾性変形して前記第２の電極の接点を前記基板側の面電極に接触させることを特徴とする請求項２記載のカードコネクタ。
【請求項４】
前記ベースは、前記第１及び第２の電極各々の接点に対応して開口部が設けられたことを特徴とする請求項１から請求項３のいずれか記載のカードコネクタ。
【請求項５】
前記複数の接片部材各々は、前記第１及び第２の電極各々がＳ字形をなすことを特徴とする請求項１から請求項４のいずれか記載のカードコネクタ。
【請求項６】
前記複数の接片部材各々は、前記第１及び第２の電極各々が釣針の形状をなすことを特徴とする請求項１から請求項４のいずれか記載のカードコネクタ。
【請求項７】
前記基板のカードコネクタ搭載部分に回路パターンを形成したことを特徴とする請求項１から請求項６のいずれか記載のカードコネクタ。
【発明の詳細な説明】
【０００１】
【発明の属する技術分野】
本発明はカードコネクタに関し、特にＩＣ（集積回路）カードやＳＩＭ（Ｓｕｂｓｃｒｉｂｅｒ  Ｉｄｅｎｔｉｔｙ  Ｍｏｄｕｌｅ）カード等に用いられるコネクタに関する。
【０００２】
【従来の技術】
従来、ＩＣカードやＳＩＭカード等においては、スロットやアダプタに装着して使用されるため、図５及び図６に示すようなカードコネクタが用いられている。ここで、図５は従来のカードコネクタの平面図であり、図６は図５のＣＣ線に沿う矢視方向の断面図である。
【０００３】
従来のカードコネクタでは、図６に示すように、接片部材４が弾性変形しても基板（図示せず）に接触しないように、接片部材４の変形分の空間をあけてベース底壁３が設けられている（例えば、特許文献１参照）。但し、従来のカードコネクタでは、ベース底壁３がないものある（例えば、特許文献１，２参照）。
【０００４】
【特許文献１】
特開平１１−３０７１９１号公報（第８，９頁、図２，４）
【特許文献２】
特開平１１−３２９６３３号公報（第５〜７頁、図４）
【０００５】
【発明が解決しようとする課題】
しかしながら、上述した従来のカードコネクタでは、接片部材の変形分の空間をあけてベース底壁を設けているので、カードコネクタ自体の厚さが厚くなってしまう。
【０００６】
また、従来のカードコネクタにはベース底壁がないものあるが、この場合には基板に実装する際、カードコネクタ搭載部に回路パターンを設けないようにしたり、基板に開口を設けて搭載したりしている。
【０００７】
そこで、本発明の目的は上記の問題点を解消し、装置の小型化を図り、回路設計の自由度を広げることができるカードコネクタを提供することにある。
【０００８】
【課題を解決するための手段】
本発明によるカードコネクタは、ベースに所定の配列で固定された複数の接片部材が前記ベースとともにインサート成形されたカードコネクタであって、前記複数の接片部材各々に一体に形成されかつ前記ベースの上面側及び下面側にそれぞれ電気的な接点を持つ第１及び第２の電極を備えている。
【０００９】
すなわち、本発明のカードコネクタは、ベース底壁をなくすことで、弾性変形によって変位した電極接点部が、基板に設けられた電極接点部に対応した電極に直接接触するようにしている。
【００１０】
より具体的に説明すると、本発明のカードコネクタでは、ベースにインサート成形された接片部材に、カード側の面電極と基板側の面電極とに対応する電極接点部と、基板に半田付けされる接続用端子部とを一体に備えている。電極接点部の下側のベース底壁は開口が設けられており、基板側の面電極へ接触する。
【００１１】
上記のように、本発明のカードコネクタでは、ベース底壁をなくすことで、カードコネクタ自体を薄くすることが可能となり、また基板のカードコネクタ搭載部に回路パターンを形成することで、スペースの有効利用を図ることが可能となり、装置の小型化、薄型化が実現可能となる。
【００１２】
つまり、本発明のカードコネクタでは、基板におけるカードコネクタ搭載部に回路パターンを形成可能とすることで、基板面を有効利用することが可能となる。
【００１３】
【発明の実施の形態】
次に、本発明の実施例について図面を参照して説明する。図１は本発明の一実施例によるカードコネクタの平面図であり、図２は図１のＡＡ線に沿う矢視方向の断面図である。これら図１及び図２において、カードコネクタ１はＳＩＭ（Ｓｕｂｓｃｒｉｂｅｒ  Ｉｄｅｎｔｉｔｙ  Ｍｏｄｕｌｅ）カードに用いられるカードコネクタであり、合成樹脂製のベース２と、ベース２とともにインサート成形されかつベース２に所定の配列で固定された複数の接片部材４とを備えている。
【００１４】
複数の接片部材４各々はカード側の面電極（図示せず）に対応する電極接点部６ａと、基板側の面電極（図示せず）に対応する電極接点部６ｂと、基板に半田付けされる接続用端子部５とを一体に備えている。ここで、電極接点部６ａ及び電極接点部６ｂはＳ字形に成形されており、ベース２においては電極接点部６ａ及び電極接点部６ｂが配置された位置に挿通孔が設けられている。つまり、ベース２には電極接点部６ａ及び電極接点部６ｂが配置された位置のベース底壁をなくしている。
【００１５】
カードコネクタ１において、複数の接片部材４各々はカードの面電極で電極接点部６ａが押された時に弾性変形し、電極接点部６ｂが基板の面電極に接触する。この時、基板のカードコネクタ搭載部にも回路パターンを形成することができるため、基板スペースの有効利用を図ることができ、装置の小型化が可能となる。
【００１６】
また、弾性変形した接片部材４各々が基板に接触するのを防いでいたベース底壁をなくすことができるので、カードコネクタ１自体も薄くすることができ、装置の薄型化が可能となる。
【００１７】
図３は本発明の他の実施例によるカードコネクタの平面図であり、図４は図３のＢＢ線に沿う矢視方向の断面図である。これら図３及び図４において、カードコネクタ１はＳＩＭカードに用いられるカードコネクタであり、合成樹脂製のベース２と、ベース２とともにインサート成形されかつベース２に所定の配列で固定された複数の接片部材４とを備えている。
【００１８】
複数の接片部材４各々はカード側の面電極（図示せず）に対応する電極接点部６ａと、基板側の面電極（図示せず）に対応する電極接点部６ｂと、基板に半田付けされる接続用端子部５とを一体に備えている。ここで、電極接点部６ａ及び電極接点部６ｂは釣針の形状に成形されている。
【００１９】
カードコネクタ１において、複数の接片部材４各々はカードの面電極で電極接点部６ａが押された時に弾性変形し、電極接点部６ｂが基板の面電極に接触する。この時、基板のカードコネクタ搭載部にも回路パターンを形成することができるため、基板スペースの有効利用を図ることができ、装置の小型化が可能となる。
【００２０】
また、弾性変形した接片部材４各々が基板に接触するのを防いでいたベース底壁をなくすことができるので、カードコネクタ１自体も薄くすることができ、装置の薄型化が可能となる。
【００２１】
尚、上述した本発明の一実施例及び他の実施例では、ＳＩＭカードに用いられるカードコネクタについて述べたが、ＩＣ（集積回路）カードやＰＣＭＣＩＡ（Ｐｅｒｓｏｎａｌ  Ｃｏｍｐｕｔｅｒ  ｍｅｍｏｒｙ  Ｃａｒｄ  Ｉｎｔｅｒｎａｔｉｏｎａｌ  Ａｓｓｏｃｉａｔｉｏｎ）カード等にも適用可能であり、これに限定されない。
【００２２】
【発明の効果】
以上説明したように本発明は、ベースに所定の配列で固定された複数の接片部材が前記ベースとともにインサート成形されたカードコネクタにおいて、ベースの上面側及び下面側にそれぞれ電気的な接点を持つ第１及び第２の電極を複数の接片部材各々に一体に形成することによって、装置の小型化を図り、回路設計の自由度を広げることができるという効果が得られる。
【図面の簡単な説明】
【図１】本発明の一実施例によるカードコネクタの平面図である。
【図２】図１のＡＡ線に沿う矢視方向の断面図である。
【図３】本発明の他の実施例によるカードコネクタの平面図である。
【図４】図３のＢＢ線に沿う矢視方向の断面図である。
【図５】従来のカードコネクタの平面図である。
【図６】図５のＣＣ線に沿う矢視方向の断面図である。
【符号の説明】
１  カードコネクタ
２  ベース
４  接片部材
５  接続用端子部
６ａ  カード側の面電極に対応する電極接点部
６ｂ  基板側の面電極に対応する電極接点部
【図１】
2004192928.tif 000003
【図２】
2004192928.tif 000004
【図３】
2004192928.tif 000005
【図４】
2004192928.tif 000006
【図５】
2004192928.tif 000007
【図６】
2004192928.tif 000008